(57)【要約】      （修正有）【課題】簡易な構成で、記録処理中におけるメモリカードの抜去を抑制することができる。【解決手段】メモリカード１００を収納するカード収納部と、メモリカード１００に撮像データを記録する記録処理部２８と、開閉可能であり、開状態においてカード収納部を露出させてメモリカード１００をカード収納部から抜き差し可能な状態にする一方、閉状態においてカード収納部を覆いメモリカード１００の抜き差し不可能な状態にするカード保護蓋と、当該カード保護蓋の開閉状態を検出する開閉検出部３４と、撮像データをメモリカード１００に記録している際に、開閉検出部３４によってカード保護蓋が開状態になったことを検出すると、抜去警告画像を表示することにより、メモリカード１００を抜き去らないようにユーザに対して通知するようにする。【選択図】図２
2008226045.tif 000002
【特許請求の範囲】
【請求項１】
メモリカードを収納するカード収納部と、
上記メモリカードにデータを記録する記録処理部と、
上記カード収納部に対して開閉可能であり、開状態において上記カード収納部を露出させて上記メモリカードを上記カード収納部から抜き差し可能な状態にする一方、閉状態において上記カード収納部を覆い上記メモリカードを抜き差し不可能な状態にするカード保護蓋と、
上記カード保護蓋の開閉状態を検出する開閉検出部と、
上記データを上記メモリカードに記録している際に、上記開閉検出部によって上記カード保護蓋が上記開状態になったことを検出すると、上記メモリカードを抜き去らないようにユーザに対して通知する通知部と
を具えることを特徴とするメモリカード記録装置。
【請求項２】
上記通知部は、
所定の警告画像を表示装置に表示することにより、上記メモリカードを抜き去らないようにユーザに対して通知する
ことを特徴とする請求項１に記載のメモリカード記録装置。
【請求項３】
上記通知部は、
上記表示装置に表示されるべき表示画像よりも優先して上記警告画像を表示し、上記警告画像を表示してから所定の表示時間が経過すると、上記警告画像よりも上記表示画像を優先して当該警告画像よりも小さい所定の縮小警告画像を表示する
ことを特徴とする請求項２に記載のメモリカード記録装置。
【請求項４】
上記通知部は、
ユーザの操作に応じて上記警告画像又は上記縮小警告画像を切り替えて表示する
ことを特徴とする請求項３に記載のメモリカード記録装置。
【請求項５】
上記通知部は、
上記警告画像又は上記縮小警告画像を定期的に切り替えて表示する
ことを特徴とする請求項３に記載のメモリカード記録装置。
【請求項６】
上記通知部は、
上記メモリカードに上記データの記録を開始する際に、上記開閉検出部によって上記カード保護蓋が上記開状態であることを検出すると、上記メモリカードを抜き去らないようにユーザに対して通知する
ことを特徴とする請求項１に記載のメモリカード記録装置。
【請求項７】
レンズを介して受光した撮像光に基づく動画像データを表示する表示部と、
メモリカードを収納するカード収納部と、
上記メモリカードに上記動画像データを記録する記録処理部と、
上記カード収納部に対して開閉可能であり、開状態において上記カード収納部を露出させて上記メモリカードを上記カード収納部から抜き差し可能な状態にする一方、閉状態において上記カード収納部を覆い上記メモリカードを抜き差し不可能な状態にするカード保護蓋と、
上記カード保護蓋の開閉状態を検出する開閉検出部と、
上記データを上記メモリカードに記録している際に、上記開閉検出部によって上記カード保護蓋が上記開状態になったことを検出すると、所定の通知画像を表示装置に表示することにより、上記メモリカードを抜き去らないようにユーザに対して通知する通知部と
を具えることを特徴とする映像記録装置。
【請求項８】
メモリカードを収納するメモリカード収納部に対して開閉可能であり、開状態において上記カード収納部を露出させてメモリカードを上記カード収納部から抜き差し可能な状態にする一方、閉状態において上記カード収納部を覆い上記メモリカードを抜き差し不可能な状態にするカード保護蓋の開閉状態を検出する開閉検出ステップと、
データを上記メモリカードに記録している際に、上記カード保護蓋が上記開状態になったことを検出すると、上記メモリカードを抜き去らないようにユーザに対して通知する通知ステップと
を具えることを特徴とする抜去禁止通知方法。
【発明の詳細な説明】
【技術分野】
【０００１】
本発明は、メモリカード記録装置、映像記録装置及び抜去禁止通知方法に関し、例えばカムコーダに適用して好適なものである。
【背景技術】
【０００２】
従来、カムコーダは、例えばビデオテープや、ＤＶＤ（Digital Versatile Disc）、ハードディスクドライブなど、撮像した撮像データを様々な記録媒体に記録するようになされたものが広く普及している。
【０００３】
このカムコーダでは、記録処理中に記録媒体が取り出されると、記録媒体上に記録された撮像データが破損し、当該撮像データを正常に読み出せなくなるばかりか、記録媒体自体が破損し、当該記録媒体自体が使用不可能となるおそれがある。そこでカムコーダは、一般的に撮像データの記録処理中に記録媒体を取り出せないようロックすることにより、記録処理中における当該記録媒体の取出を禁止するようになされている。
【０００４】
またカムコーダの中には、近年、メモリースティック（ソニー株式会社の登録商標）などのメモリカードが大容量化するのに伴い、記録媒体として当該メモリカードを使用するようになされたものがある（例えば、特許文献１参照）。
【特許文献１】特開２００５−１７５８４４公報
【発明の開示】
【発明が解決しようとする課題】
【０００５】
ところで、メモリカードは主に携帯電話やデジタルスチルカメラなどの電子機器に先行して使用されており、この電子機器において上述したロック機能を採用していないものが多く、メモリカードはいつでも抜き差しできるというのがユーザの一般的な認識である。従って仮にカムコーダのメモリカード収納部にロック機構を設けると、ユーザに違和感を与えてしまう上、機械的にロック機構を設ける必要が生じるためメモリカード収納部の構成が複雑になってしまう。
【０００６】
しかしながらカムコーダにかかるロック機構を設けない場合には、記録処理中にユーザによってメモリカードが抜き去られる危険性が生じ、このカードの抜去によって記録中のデータが損失し、最悪の場合にはメモリカードの全記録領域が使用不可能になるという問題があった。
【０００７】
本発明は以上の点を考慮してなされたもので、簡易な構成で、記録処理中におけるメモリカードの抜去を抑制し得るメモリカード記録装置、映像記録装置及び抜去禁止通知方法を提案しようとするものである。
【課題を解決するための手段】
【０００８】
かかる課題を解決するため本発明においては、メモリカードを収納するカード収納部と、メモリカードにデータを記録する記録処理部と、カード収納部に対して開閉可能であり、開状態においてカード収納部を露出させてメモリカードをカード収納部から抜き差し可能な状態にする一方、閉状態においてカード収納部を覆いメモリカードを抜き差し不可能な状態にするカード保護蓋と、カード保護蓋の開閉状態を検出する開閉検出部と、データをメモリカードに記録している際に、開閉検出部によってカード保護蓋が開状態になったことを検出すると、メモリカードを抜き去らないようにユーザに対して通知する通知部とを設けるようにした。
【０００９】
これにより、記録処理中にメモリカードを抜き去らないようにユーザを促すことができる。
【００１０】
レンズを介して受光した撮像光に基づく動画像データを表示する表示部と、メモリカードを収納するカード収納部と、メモリカードに動画像データを記録する記録処理部と、カード収納部に対して開閉可能であり、開状態においてカード収納部を露出させてメモリカードをカード収納部から抜き差し可能な状態にする一方、閉状態においてカード収納部を覆いメモリカードを抜き差し不可能な状態にするカード保護蓋と、カード保護蓋の開閉状態を検出する開閉検出部と、データをメモリカードに記録している際に、開閉検出部によってカード保護蓋が開状態になったことを検出すると、所定の通知画像を表示装置に表示することにより、メモリカードを抜き去らないようにユーザに対して通知する通知部とを設けるようにした。
【００１１】
これにより、記録処理中にメモリカードを抜き去らないようにユーザを促すことができる。
【００１２】
メモリカードを収納するメモリカード収納部に対して開閉可能であり、開状態においてカード収納部を露出させてメモリカードをカード収納部から抜き差し可能な状態にする一方、閉状態においてカード収納部を覆いメモリカードを抜き差し不可能な状態にするカード保護蓋の開閉状態を検出する開閉検出ステップと、データをメモリカードに記録している際に、カード保護蓋が開状態になったことを検出すると、メモリカードを抜き去らないようにユーザに対して通知する通知ステップとを設けるようにした。
【００１３】
これにより、記録処理中にメモリカードを抜き去らないようにユーザを促すことができる。
【発明の効果】
【００１４】
本発明によれば、記録処理中にメモリカードを抜き去らないようにユーザを促すことができるため、簡易な構成で、記録処理中におけるメモリカードの抜去を抑制し得るメモリカード記録装置、映像記録装置及び抜去禁止通知方法を実現できる。
【発明を実施するための最良の形態】
【００１５】
以下、図面について、本発明の一実施の形態を詳述する。
【００１６】
（１）カムコーダの全体構成
図１において１は、カムコーダの外観構成を示し、主に光学系などを有する本体部２と例えばＬＣＤ（Liquid Crystal Display）などでなる表示部３とから構成されている。この本体部２及び表示部３は、回転接続部４を介して水平方向及び鉛直方向の２方向に回転自在に連結されており、ユーザの好みに応じた角度に表示部３を配置させ得るようになされている。
【００１７】
このカムコーダ１は、レンズ群６を介して取り込んだ撮像光に基づく映像データを撮像画像として表示部３に表示することにより、当該撮像画像をユーザに視認させながら、映像データ及び音声データでなる撮像データをカード保護蓋７の内部に収納されたメモリカード１００に記録撮像データとして記録するようになされている。
【００１８】
図２に示すように、カムコーダ１は、図示しないマイクロプロセッサ、ＲＯＭ（Read Only Memory）及びＲＡＭ（Random Access Memory）から構成される制御部１０がカムコーダ１の全体を統括的に制御するようになされている。制御部１０は、ＲＯＭに格納されている基本プログラムや抜去禁止通知プログラム等をＲＡＭに展開することによって、これらのプログラムに基づいて各種処理や後述する抜去禁止通知処理等を実行するようになされている。
【００１９】
制御部１０は、電源回路１２を介してバッテリ１３又は商用電源に接続されたＡＣ電源プラグ１４から電源の供給を受けて稼動する。制御部１０は、ユーザの操作部５への操作入力に応じて電源をＯＮに入力する旨の操作入力信号が供給されると、電源スイッチ１５をＯＮに切り替えて各部に電源を供給し、ユーザによる録画開始指示を待ち受ける待機モードに移行する。
【００２０】
すなわち制御部１０は、レンズ群６から撮像光を取り込むと共に、当該レンズ群６を通過してＣＣＤ（Charge-Coupled device）などでなる受光部２１上に結像させる。受光部２１は、この結像した撮像光を光電変換し、撮像信号として映像信号処理部２０へ供給する。
【００２１】
映像信号処理部２０は、撮像信号に対してガンマ補正処理やＡＧＣ（Auto Gain Control）処理、及びアナログデジタル変換処理を施すことにより、映像データを生成し、重畳部２４に送出する。
【００２２】
また制御部１０は、現在のバッテリ１３の残量、現在のモード（すなわち待機モード）などに基づいてカムコーダ１の現在の状況を表す状況情報を表示する旨の要求信号を画面情報処理部２３に送出する。画面情報処理部２３は図示しないＲＯＭから対応する画像データを読み出し、これを状況情報として重畳部２４に送出する。
【００２３】
重畳部２４は、映像データに状況情報を重畳して表示用映像データを生成し、表示部３に送出する。この結果図３に示すように、表示部３に当該表示用映像データに基づく待機中画面５０が表示される。
【００２４】
この待機画面５０には、カムコーダ１が現在取り込んでいる（すなわち撮像している）撮像光に基づく撮像画像が表示されると共に、画面最上部の帯状でなる状況情報表示領域ＤＳに状況情報が表示される。状況情報表示領域ＤＳでは、現在のバッテリ残量を表す残量アイコンＢＩを「白色」で表示されていると共に、現在のモードが待機モード（すなわち「スタンバイ」状態）であることを表す待機文字列ＳＴが、現在待機モードであることを表す「緑色」で表示されている。
【００２５】
一方制御部１０（図２）は、メモリカード１００が装填された状態で、ユーザの操作部５を介した操作入力により、撮像中の映像データを記録する旨の操作入力信号が当該操作部５から供給されると、記録モードに移行し、記録処理を開始する。
【００２６】
すなわち制御部１０は、マイク部２６によって集音されたカムコーダ１周辺の音声を音声信号として音声信号処理部２７へ供給する。音声信号処理部２７は、制御部１０からの制御信号に基づいて、音声信号に対して各種補正処理、ＡＧＣ処理及びアナログデジタル変換処理を施して音声データを生成し、当該音声データを記録処理部２８へ送出する。
【００２７】
また制御部１０は、待機モードのときと同様にして映像信号処理部２０によって映像データを生成すると、これを重畳部２４及び記録処理部２８へ送出する。
【００２８】
記録処理部２８は、音声信号処理部２６から供給される音声データ及び映像信号処理部から供給される映像データを基に記録撮像データを生成し、これをタイムコードＴＴと対応付けてメモリカード１００に記録する。
【００２９】
また制御部１０は、録画開始から現在までの録画時間及び現在のバッテリ１３の残量、現在のモード（すなわち記録モード）などに基づく状況情報の表示を要求する要求信号を画面情報処理部２３に送出する。画面情報処理部２３は図示しないＲＯＭから対応する画像データを読み出し、これを状況情報として重畳部２４に送出する。
【００３０】
重畳部２４は、映像データに状況情報を重畳して表示用映像データを生成し、表示部３に送出する。この結果図４に示すように、表示部３に当該表示用映像データに基づく録画中画面５１が表示される。
【００３１】
この録画中画面５１には、撮像中の撮像画像が表示されると共に、状況情報表示領域ＤＳに状況情報が表示される。状況情報表示領域ＤＳでは、残量アイコンＢＩと映像フレームごとに与えられる録画開始時刻からの経過時間又は総録画時間の情報であるタイムコードＴＴが「白色」で表示されていると共に、現在のモードが記録処理中であることを表す記録文字列ＲＴ及び記録中アイコンＲＩが、現在記録処理中であることを表す「赤色」でそれぞれ表示されている。
【００３２】
他方制御部１０（図２）は、メモリカード１００が装填された状態で、ユーザの操作部５を介した操作入力により、メモリカード１００に記録されている記録撮像データを再生する旨の操作入力信号が当該操作部５から供給されると、再生モードに移行し、再生処理を開始する。
【００３３】
すなわち制御部１０は、記録処理部２８を介してメモリカード１００から記録撮像データ及びタイムコードＴＴを読み出すと、当該記録撮像データから映像データ及びタイムコードＴＴを抽出し、画面情報処理部２３を介して重畳部２４へ送出する。重畳部２４は、記録撮像データ及びタイムコードＴＴなどを重畳して再生撮像データを生成し、これを表示部３に送出する。この結果、表示部３には図示しない再生画面が表示される。
【００３４】
また制御部１０は、記録撮像データから音声データを抽出し、音声出力部３４によって当該音声データに基づく出力音声信号を生成し、スピーカ３５に送出する。この結果、当該スピーカ３５から記録撮像データに基づく音声が出力される。
【００３５】
なお表示部３は、タッチパネル機能を有しており、接触認識部３Ａによってユーザの表示部３への接触を検出することができる。
【００３６】
このようにしてカムコーダ１は、記録開始の指示を待ち受ける待機モード、撮像データをメモリカード１００に記録する記録モード、メモリカード１００から記録データを読み出して再生する再生モードを切り替え得るようになされている。
【００３７】
（２）メモリカードの収納
図１に示したように、カムコーダ１の底部分にはカード保護蓋７が設けられており、当該カード保護蓋７の内部にメモリカード１００を収納するようになされている。次に、このメモリカード１００の収納について図５を用いて説明する。なお図５では、図１における水平方向を紙面上下方向として示している。
【００３８】
カムコーダ１では、回転部７Ａを支点とした回転動作により、カード収納部３０に対して取り付けられたカード保護蓋７を開閉させる。
【００３９】
カムコーダ１では、図５（Ａ）に示すように、当該カード保護蓋７が開状態のときにカード収納部３０を露出させて当該メモリカード１００を抜き差し可能な状態にする。
【００４０】
一方、図５（Ｂ）に示すようにカムコーダ１は、カード保護蓋７が閉状態のときにカード収納部３０を覆って密閉し、カード収納部３０に収納されるメモリカード１００を抜き差し不可能な状態にすると共に、当該メモリカード１００を衝撃などから保護するようになされている。
【００４１】
このカード収納部３０（図５（Ａ））の内部にはカード挿入口３１が設けられており、このカード挿入口３１にメモリカード１００が挿入されることにより、カムコーダ１にメモリカード１００が装填される。このカード挿入口３１にはメモリカード１００の抜き差しを物理的に禁止するロック機構は設けられておらず、カード保護蓋７が開状態であれば任意のタイミングでユーザにメモリカード１００を抜き差しさせることができる。
【００４２】
またカード収納部３０の側壁３０Ａには、蓋保持爪３２が設けられている。この蓋保持爪３２は、全体として弾性を有する板ばねでなり、開状態においてその先端部分の突起部３２Ａが側壁３０Ａから一部突出している。
【００４３】
側壁３０Ａの内部には、蓋保持爪３２が押し下げられたか否かを検出する開閉スイッチでなる開閉検出部３４（図２）が設置されている。
【００４４】
すなわち蓋保持爪３２は、開状態（図５（Ａ））において、外部から力が加わらないため押し下げられることがなく、このとき開閉検出部３４は、現在カード保護蓋７が開状態であることを検出することができる。
【００４５】
そしてカード保護蓋７の蓋側部７Ｂがカード挿入口３１と側壁３０Ａとの間に嵌入され、カード保護蓋７が閉状態（図５（Ｂ））に移行する際、蓋保持爪３２は側壁３０Ａの内部に押し下げられ、このとき開閉検出部３４は、カード保護蓋７が閉状態であることを検出することができる。
【００４６】
また閉状態において蓋保持爪３２は、その弾性によってカード保護蓋７を保持する。この蓋保持爪３２は、振動や軽い衝撃などによってカード保護蓋７が開動作することを防止できる一方、例えばユーザが指をカード保護蓋７に置いた状態で図中の矢印方向に力を加えることにより、カード保護蓋７が簡単に開動作し得る程度にその弾性が選定されている。
【００４７】
これによりカムコーダ１は、ユーザの意図したときだけ、かつ簡単にカード保護蓋７をユーザに開閉動作させて、ユーザにメモリカード１００を自由に挿入させ又は抜き去らせることができるため、メモリカード１００を自由に抜き差しできるという一般的な認識を有するユーザに対して違和感を与えないようになされている。
【００４８】
（３）抜去禁止通知処理
上述したようにカムコーダ１では、メモリカード１００に記録撮像データを記録処理している最中にメモリカード１００がカード挿入口３１から抜き去られてしまうと、記録処理中の記録撮像データ全てが損失してしまったり、最悪の場合にはメモリカードのファイルフォーマットを破壊して全記録データが消失してしまったりする場合もあり得る。
【００４９】
そこで本実施の形態では、記録撮像データの記録処理中にカード保護蓋７が閉状態から開状態にされると、メモリカード１００が抜き去られて記録撮像データが損失する危険性があると判断し、メモリカード１００を抜き去らないようにユーザに通知する抜去禁止通知処理を実行する。
【００５０】
（３−１）記録処理中における抜去禁止通知処理
すなわちカムコーダ１の制御部１０は、記録撮像データの記録処理中にカード保護蓋７が閉状態から開状態へ移行したことにより、開閉検出部３４から蓋開きイベントトリガが供給されると、抜去警告画像データを表示する旨の要求信号を画面情報処理部２３に送出する。
【００５１】
画面情報処理部２３は、図示しないＲＯＭから抜去警告画像データを読み出し、これを状況情報と共に重畳部２４に送出する。重畳部２４は、映像信号処理部２０から供給される映像データに対して状況情報及び抜去警告画像データを重畳して表示用映像データを生成し、表示部３に供給する。
【００５２】
この結果図６に示すように、表示部３には、録画中画面５１（図４）の中央部分に、抜去警告画像データに基づく抜去警告画像ＥＣが重畳された抜去警告画面５５が表示される。この抜去警告画像ＥＣは、枠内が「青色」で表示されると共に、その中央部分に「書き込み中です  メモリカードを抜かないでください」という警告文が「白抜き」で表示されており、さらにこの当該警告文の右下に「ＯＫ」と記載されたＯＫボタンＢＯが表示されている。
【００５３】
画面情報処理部２３は、映像データの中央部分を隠し、当該映像データよりも抜去警告画像ＥＣを優先して表示することにより、ユーザに対して警告文を確実に視認させることができ、ユーザによるメモリカード１００の抜去を効果的に抑制することができる。
【００５４】
また画面情報処理部２３は、記録中アイコンＲＩ及び録画文字列ＲＴを「赤色」で表示しているのに対し、抜去警告画像ＥＣを対称的な「青色」で表示することにより、ユーザに対して通常の録画中画面５１から大きく変化したという強い印象を与えることができ、ユーザに対して一層効果的に警告することができる。
【００５５】
さらに画面情報処理部２３は、抜去警告画面５５の中央部分にのみ抜去警告画像ＥＣを表示することにより、抜去警告画像ＥＣと共に現在記録中の映像データの外周部分をユーザに視認させることができるため、ユーザに記録撮像データの撮像範囲を確認させながら警告文を視認させることができる。
【００５６】
また画面情報処理部２３は、メモリカード１００の抜去によって記録撮像データが損失する危険性を通知するのではなく、メモリカード１００の抜去をしないようにユーザに対して直接的に促すことにより、記録撮像データが失われるという恐怖感をユーザに感じさせることなく、効果的にユーザの行動を制することができる。
【００５７】
そして画面情報処理部２３は、図示しないカウンタによって抜去警告画像ＥＣの表示を開始してからの表示時間をカウントし、当該表示時間が５秒に到達すると、５秒経過イベントトリガを生成し、制御部１０に送出する。
【００５８】
制御部１０は、５秒経過イベントトリガが供給されると、抜去警告画像ＥＣを消去して縮小警告画像データを表示する旨の要求信号を画面情報処理部２３に送出する。このとき画面情報処理部２３は、図示しないＲＯＭから縮小警告画像データ及び当該縮小警告画像データを読み出し、これらを状況情報と共に重畳部２４に送出する。重畳部２４は、映像データに対して状況情報及び縮小警告画像データを重畳して表示用映像データを生成し、表示部３に供給する。
【００５９】
この結果図７に示すように、表示部３には、録画中画面５１に対して縮小警告画像データに基づく蓋開きアイコンＣＩが重畳された縮小警告画面５６が表示される。この縮小警告画面５６では、状況情報表示領域ＤＳの中央部分にカード保護蓋７が開状態であることを示す蓋開き警告アイコンＣＩが「オレンジ色」で表示される。
【００６０】
画面情報処理部２３は、状況情報表示領域ＤＳ内に色の異なる蓋開き警告アイコンＣＩを表示することにより、周囲に表示された状況情報から蓋開き警告アイコンＣＩを浮き立たせ、カード保護蓋７が開状態であることをユーザに強く認識させ得るようになされている。
【００６１】
また画面情報処理部２３は、状況情報表示領域ＤＳに蓋開きアイコンＣＩを表示することにより、ユーザが状況情報を確認する際に当該蓋開きアイコンＣＩを視認させて効果的にカード保護蓋７が開状態であることをユーザに認識させ得ると共に、バッテリ残量アイコンＢＩなど他のアイコン類から分散させずに近傍の場所に集めて表示することにより、撮像画像を隠す場所を限定して当該撮像画像を極力視認させやすい状態に保つことができる。
【００６２】
さらに画面情報処理部２３は、メモリカード１００を抜き去らないよう促すアイコンではなく、カード保護蓋７が開状態であることを表す蓋開き警告アイコンＣＩを表示することにより、メモリカード１００を主体的に抜き去る気のないユーザに対してカード保護蓋７を閉めるように促すことができ、何らかの事故によって誤ってメモリカード１００がカード挿入口３１から抜き去られてしまうことを効果的に防止することができる。
【００６３】
ところで、表示部３に抜去警告画面５５（図６）が表示された状態で、ユーザによってＯＫボタンＢＯが押下されると、表示部３の接触認識部３Ａは、抜去表示縮小イベントトリガを生成し、制御部１０に送出する。
【００６４】
制御部１０は、抜去警告画像ＥＣを消去して縮小警告画像データを表示する旨の要求信号を画面情報処理部２３に送出することにより、５秒経過イベントトリガが供給されたときと同様に、表示部３に縮小警告画面５６（図７）を表示させる。
【００６５】
これにより画面情報処理部２３は、ユーザの好みに応じた任意のタイミングで抜去警告画像ＥＣを蓋開き警告アイコンＣＩに切り替えて表示することができるため、抜去警告画像ＥＣの存在が煩わしいとユーザに極力感じさせないようになされている。
【００６６】
また表示部３に縮小警告画面５６が表示された状態で、ユーザによって蓋開き警告アイコンＣＩが押下されると、表示部３の接触認識部３Ａは、抜去警告拡大イベントトリガを生成し、制御部１０に送出する。
【００６７】
制御部１０は、蓋開き警告アイコンＣＩを消去して抜去警告画像データを表示する旨の要求信号を画面情報処理部２３に送出することにより、蓋開きイベントトリガが供給されたときと同様に、表示部３に抜去警告画面５５を表示させる。
【００６８】
これにより画面情報処理部２３は、ユーザの好みに応じた任意のタイミングで蓋開き警告アイコンＣＩを抜去警告画像ＥＣに切り替えて表示することができるため、ユーザが蓋開き警告アイコンＣＩの意味合いを忘れてしまった場合であっても、ユーザに蓋開き警告アイコンＣＩを押下させるだけでいつでも抜去警告画面５５を表示させることができ、ユーザにカード保護蓋７が開状態であることを一段と確実に認識させ得るようになされている。
【００６９】
（３−２）記録開始時における抜去禁止通知処理
カムコーダ１の制御部１０は、待機モードにおいて、カード保護蓋７が閉状態であるか否かを常に監視する。そして制御部１０は、ユーザの操作部５を介した操作に応じて記録処理を開始する旨の記録開始イベントトリガが操作部５から供給されると、記録開始時における抜去禁止通知処理を実行する。
【００７０】
制御部１０は、カード保護蓋７が開状態であると認識した場合、抜去警告画像データを表示する旨の要求信号を画面情報処理部２３に送出することにより、上述した蓋開きイベントトリガのときと同様に、表示部３に抜去警告画面５５（図６）を表示させ、記録処理を開始する。
【００７１】
これによりカムコーダ１は、カード保護蓋７が開状態であれば、記録処理を開始する直前においても、抜去警告画面５５を表示することができ、ユーザにメモリカード１００を抜き去らないでほしい旨を通知し得るようになされている。
【００７２】
また制御部１０は、カード保護蓋７が閉状態にあるものの、メモリカード１００が装填されていないと認識した場合、未挿入警告画像データを表示する旨の要求信号を画面情報処理部２３に送出する。このとき画面情報処理部２３は、図示しないＲＯＭから未挿入警告画像データを読み出し、これを状況情報と共に重畳部２４に送出する。重畳部２４は、映像データに対して状況情報及び未挿入警告画像データを重畳して表示用映像データを生成し、表示部３に供給する。
【００７３】
この結果図８に示すように、表示部３には未挿入警告画面５７が表示される。未挿入警告画面５５は、待機中画面５０（図３）の中央部分に、未挿入警告画像データに基づく未挿入警告画像ＮＣが重畳されてなる。この未挿入警告画像ＮＣは、抜去警告画像ＥＣと同様に枠内が「青色」で表示されると共に、その中央部分に「メモリカードを入れてください」という警告文を「白抜き」で表示している。
【００７４】
これによりカムコーダ１は、メモリカード１００が装填されていないことをユーザに認識させることができる。また状況情報表示領域ＤＳに待機文字列ＳＴ「スタンバイ」と表示された待機中画面５０に未挿入警告画像ＮＣを重畳するため、ユーザに録画処理が開始されていないことをも確認させ得るようになされている。
【００７５】
（４）抜去禁止通知処理手順
次に、抜去禁止通知プログラムに従って実行される記録開始時及び記録処理中における抜去禁止通知処理手順ＲＴ１及びＲＴ２について、図９及び図１０に示すフローチャートを用いて説明する。
【００７６】
（４−１）記録開始時における抜去禁止通知処理手順
ユーザの操作部５に対する操作入力に応じて待機モードに移行する旨の要求がなされると、カムコーダ１の制御部１０は、記録開始時における抜去禁止通知処理手順ＲＴ１（図９）を開始し、次のステップＳＰ１へ移る。
【００７７】
ステップＳＰ１において、制御部１０は、イベントトリガの供給を待ち受け、イベントトリガの供給を受けると次のステップＳＰ２へ移る。
【００７８】
ステップＳＰ２において、制御部１０は、カード保護蓋７が開状態にあるか否かを判別する。ここでカムコーダ１は、肯定結果が得られた場合にはステップＳＰ３へ、否定結果が得られた場合にはステップＳＰ８へそれぞれ移る。
【００７９】
ステップＳＰ３及びステップＳＰ８において、制御部１０は、ステップＳＰ１において得られたイベントトリガの中に記録開始イベントが含まれているか否かについて判別する。ここで否定結果が得られた場合、このことはメモリカード１００の抜去によるデータ損失の危険性が存在しないことを表しており、このとき制御部１０は、ステップＳＰ１へ戻り、処理を継続する。
【００８０】
これに対してステップＳＰ３において肯定結果が得られた場合、このことは記録処理を開始するにも拘らずカード保護蓋７が開状態であるため、メモリカード１００の抜去によるデータ損失の危険性が存在することを意味しており、このとき制御部１０は、次のステップＳＰ４へ移る。
【００８１】
ステップＳＰ４において、制御部１０は、画像情報処理部２３に抜去警告画像データを表示する旨の要求信号を送出することにより、表示部３に抜去警告画像ＥＣ（図６）を表示させると、次のステップＳＰ５へ移り、画像情報処理部２３に抜去警告画像ＥＣの表示を開始してからの表示時間のカウントを開始させ、次のステップＳＰ９へ移る。
【００８２】
これに対してステップＳＰ８において肯定結果が得られた場合、このことは記録処理の開始に際してカード保護蓋７が閉状態であり、メモリカード１００が抜き去られる可能性自体が存在しないことを表しており、このとき制御部１０は、次のステップＳＰ９へ移る。
【００８３】
ステップＳＰ９において、制御部１０は、記録処理を開始すると、記録処理中における抜去禁止通知処理手順ＲＴ２の開始ステップへ移る。
【００８４】
（４−２）記録処理中における抜去禁止通知処理手順
記録処理を開始したカムコーダ１の制御部１０は、記録処理中における抜去禁止通知処理手順ＲＴ２（図１０）のステップＳＰ２０へ移って、イベントトリガの供給を待ち受け、当該イベントトリガが供給されると、次のステップＳＰ２１へ移る。
【００８５】
ステップＳＰ２１において、制御部１０は、ステップＳＰ２０において発生したイベントトリガに５秒経過イベントトリガが含まれているか否かについて判別し、否定結果が得られた場合には、次のステップＳＰ２４へ移る。
【００８６】
これに対してステップ２１において肯定結果が得られた場合、このことは抜去警告画像ＥＣを表示してから５秒間経過したことを表しており、このとき制御部１０は、次のステップＳＰ２２へ移り、表示部３に表示されている抜去警告画像ＥＣを消去して蓋開き警告アイコンＣＩを表示すると、ステップＳＰ２３へ移って画像情報処理部２３による表示時間のカウントを停止させ、次のステップＳＰ２４へ移る。
【００８７】
ステップＳＰ２４において、制御部１０は、ステップＳＰ２０において発生したイベントトリガに記録停止イベントが含まれているか否かについて判別し、否定結果が得られた場合には、次のステップＳＰ２５へ移る。
【００８８】
ステップＳＰ２５において、制御部１０は、カード保護蓋７が開状態であるか否かについて判別し、否定結果が得られた場合には、次のステップＳＰ２６へ移る。
【００８９】
ステップＳＰ２６において、制御部１０は、ステップＳＰ２０において発生したイベントトリガに蓋開きイベントトリガが含まれているか否かについて判別する。
【００９０】
ここで否定結果が得られた場合、このことはカード保護蓋７が閉状態であるためメモリカード１００の抜去の可能性がないことを表しており、このとき制御部１０は、ステップＳＰ２０へ戻り、処理を継続する。
【００９１】
これに対してステップＳＰ２６において肯定結果が得られた場合、このことはカード保護蓋７が閉状態から開状態に移行したため、メモリカード１００の抜去による記録撮像データの損失の危険性があることを表しており、このとき制御部１０は、次のステップＳＰ２７へ移る。
【００９２】
ステップＳＰ２７において、制御部１０は、画像情報処理部２３に抜去警告画像データを表示する旨の要求信号を送出することにより、抜去警告画像ＥＣを表示部３に表示させると、次のステップＳＰ２８に移り、画像情報処理部２３に当該抜去警告画像ＥＣの表示時間のカウントを開始させると、ステップＳＰ２０に戻って処理を継続する。
【００９３】
これに対してステップＳＰ２５において肯定結果が得られた場合、このことは現在カード保護蓋７が開状態にあることを表しており、次のステップＳＰ２９へ移る。
【００９４】
ステップＳＰ２９において、制御部１０は、ステップＳＰ２０において発生したイベントトリガに蓋閉じイベントトリガが含まれているか否かについて判別し、否定結果が得られた場合には、次のステップＳＰ３０へ移る。
【００９５】
ステップＳＰ３０において、制御部１０は、現在表示部３に抜去警告画像ＥＣが表示されているか否かについて判別し、肯定結果が得られた場合にはステップＳＰ３１へ移る。
【００９６】
ステップＳＰ３１において、制御部１０は、ステップＳＰ２０において発生したイベントトリガに抜去警告縮小イベントが含まれているか否かについて判別し、肯定結果が得られた場合、このことは抜去警告画像ＥＣにおけるＯＫボタンＢＯ（図６）をユーザが押下したことを表しており、このとき制御部１０は、次のステップＳＰ３２へ移る。
【００９７】
これに対してステップＳＰ３１において否定結果が得られた場合、このことはステップＳＰ２０において発生したイベントトリガにカード保護蓋７に関するイベントトリガが含まれていないことを表しており、このとき制御部１０は、ステップＳＰ２０に戻って処理を継続する。
【００９８】
ステップＳＰ３２において、制御部１０は、画像情報処理部２３に抜去警告画像データを消去して縮小警告画像データを表示する旨の要求信号を送出することにより、抜去警告画像ＥＣを消去して蓋開き警告アイコンＣＩを表示部３に表示させると、ステップＳＰ３３へ移って画像情報処理部２３に表示時間のカウントを停止させ、ステップＳＰ２０へ戻って処理を継続する。
【００９９】
これに対してステップＳＰ３０において否定結果が得られた場合、制御部１０はステップＳＰ３４へ移り、ステップＳＰ２０において発生したイベントトリガに抜去警告拡大イベントトリガが含まれているか否かについて判別する。
【０１００】
ここで肯定結果が得られた場合、このことは縮小警告画面５６（図７）における蓋開き警告アイコンＣＩをユーザが押下したことを表しており、このとき制御部１０は、次のステップＳＰ３５へ移る。
【０１０１】
ステップＳＰ３５において、制御部１０は、縮小警告画像データを消去して抜去警告画像データを表示する旨の要求信号を画像処理部２３に送出することにより、蓋開き警告アイコンＣＩを消去して抜去警告画像ＥＣを表示部３に表示させると、ステップＳＰ２０に戻って処理を継続する。
【０１０２】
これに対してステップＳＰ３４において否定結果が得られた場合、このことはステップＳＰ２０において発生したイベントトリガにカード保護蓋７に関するイベントトリガが含まれていないことを表しており、このとき制御部１０は、ステップＳＰ２０に戻って処理を継続する。
【０１０３】
またステップＳＰ２９において肯定結果が得られた場合、このことはカード保護蓋７が閉状態に移行したことを表しており、このとき制御部１０は、次のステップＳＰ３７へ移り、画像情報処理部２３に抜去警告画像データ又は縮小警告画像データを消去する旨の要求信号を送出することにより、表示部３に表示されていた抜去警告画像ＥＣ又は蓋開き警告アイコンＩＣを消去すると、次のステップＳＰ３８へ移る。
【０１０４】
ステップＳＰ３８において、制御部１０は、画像情報処理部２３に表示時間のカウントを停止させると、ステップＳＰ２０へ戻って処理を継続する。
【０１０５】
そしてステップＳＰ２４において肯定結果が得られた場合、このことは記録停止イベントトリガが供給されたため記録処理を停止する必要があることを表しており、このとき制御部１０は、次のステップＳＰ４１へ移り、現在表示部３に抜去警告画像ＥＣを表示中であるか否かについて判別する。
【０１０６】
ここで肯定結果が得られた場合、このことは記録処理を停止するためもはや抜去警告画像ＥＣを表示する必要がないことを表しており、このとき制御部１０は、次のステップＳＰ４２へ移り、画像情報処理部２３に抜去警告画像データを消去する旨の要求信号を溶出することにより、表示部３から抜去警告画像ＥＣを消去して次のステップＳＰ４３へ移る。
【０１０７】
ステップＳＰ４３において、制御部１０は、画像情報処理部２３に抜去警告画像ＥＣの表示時間のカウントを停止させると、終了ステップに移って記録処理を終了する。
【０１０８】
またステップＳＰ４１において否定結果が得られた場合、このことは表示部３に抜去警告画像ＥＣが表示されていないことを表しており、このとき制御部１０は、終了ステップに移って記録処理を終了する。
【０１０９】
（５）動作及び効果
以上の構成において、カムコーダ１は、メモリカード１００を収納するカード収納部３０と、メモリカード１００にデータとしての撮像データを記録する記録処理部２８と、開閉可能であり、開状態においてカード収納部３０を露出させてメモリカード１００をカード収納部３０から抜き差し可能な状態にする一方、閉状態においてカード収納部３０を覆いメモリカード１００の抜き差し不可能な状態にするカード保護蓋７と、当該カード保護蓋７の開閉状態を検出する開閉検出部３４と、撮像データをメモリカード１００に記録している際に、開閉検出部３４によってカード保護蓋７が開状態になったことを検出すると、抜去警告画像ＥＣを表示することにより、メモリカード１００を抜き去らないようにユーザに対して通知するようにした。
【０１１０】
これによりカムコーダ１は、撮像データを記録している際、カード保護蓋７が開いてユーザがメモリカード１００を抜き去る可能性がある場合にのみユーザに対して所定の警告画像である抜去警告画像ＥＣを表示するため、カード保護蓋７が開く度に抜去警告画像ＥＣを表示する場合と比較して、抜去警告画像ＥＣの表示回数を必要最小限に抑制することができ、抜去警告画像ＥＣをユーザに対して強く印象付けることができる。
【０１１１】
またカムコーダ１は、抜去警告画像ＥＣを表示してユーザにメモリカード１００を抜き去らないように通知するだけに留めるため、従来のカード保護蓋が開状態であることを検出するとユーザの意思に拘らず一切の記録処理を禁止する方法とは異なり、何らかの事故によってカード保護蓋が開状態となっただけで自動的に記録処理を中断してしまい、ユーザの撮像機会を逸しさせたり、カード保護蓋が破損するだけで撮像における記録処理を禁止してしまい、一切の記録処理ができなくなってしまうことがない。
【０１１２】
さらにカムコーダ１は、レンズ群６を介して受光した撮像光に基づく映像データを撮像画像として表示部３に表示してユーザに常時視認させながら、この表示中の映像データをメモリカード１００に記録する映像記録装置でなるため、撮像の際にユーザが常時視認する表示部３に所定の通知画像である抜去警告画像ＥＣを表示することにより、メモリカード１００を抜き去らないでほしい旨をユーザに対して確実に通知することができる。
【０１１３】
またカムコーダ１は、文字によってメモリカード１００の抜き去りを禁止する旨を直接的に表現した警告文を有する抜去警告画像ＥＣを表示装置である表示部３に表示することにより、ユーザに抜去警告画像ＥＣの通知内容を明確に伝えることができる。
【０１１４】
さらにカムコーダ１は、表示部３に表示されるべき表示画像である撮像画像よりも優先して抜去警告画像ＥＣを表示し、当該抜去警告画像ＥＣを表示してから所定の表示時間である５秒間が経過すると、当該抜去警告画像ＥＣよりも撮像画像を優先し、抜去警告画像ＥＣよりも小さい縮小警告画像である蓋開きアイコンＣＩを表示することにより、ユーザによる被写体の撮像に支障をきたさせることなくカード保護蓋７が閉状態にされるまで、ユーザに対して常に通知し続けることができる。
【０１１５】
またカムコーダ１は、メモリカード１００を抜き去らないでほしい旨をユーザに対して確実に通知した後、メモリカード１００を抜き去らなかったユーザに対してカード保護蓋７が未だ開状態であることを通知することができ、メモリカード１００の抜去を抑制するのに加えて、カード保護蓋７を閉状態にするようにユーザを促すことができる。
【０１１６】
さらに静止画像データを断続的に記録するデジタルスチルカメラとは異なり、記録処理中の動画像データが連続的に記録され、メモリカード１００の抜去による撮像データの損失が甚大になり易いカムコーダ１に対して抜去禁止通知処理を実行させるため、抜去禁止通知処理による効果（メモリカード１００の抜去によるデータ損失の抑制）を最大限に発揮させることができる。
【０１１７】
またカムコーダ１は、表示部３に警告画像を表示することにより、音声を出力したりカムコーダ１を振動させたりする場合とは異なり、記録撮像データに影響を与えることがない。
【０１１８】
以上の構成によれば、カムコーダ１は、メモリカード１００に対する撮像データの記録中に、カード保護蓋７が開状態になることによりメモリカード１００が抜き差し可能な状態になったことを検出すると、ユーザに対してメモリカード１００を抜き去らないように通知することにより、簡易な構成で、記録処理中におけるメモリカードの抜去を抑制し得るメモリカード記録装置、映像記録装置及び抜去禁止通知方法を実現できる。
【０１１９】
（６）他の実施の形態
なお上述の実施の形態においては、青地に白抜きの文字でなる警告文を有する抜去警告画像ＥＣ（図６）を表示するようにした場合について述べたが、本発明はこれに限らず、例えば図１１に示すように、「白地」でなる枠内に「黒」文字でなる警告文を有し、外周部分を蓋開き警告アイコンＣＩと同じ「オレンジ」色でなる外枠ＥＲで囲んだ抜去警告画像ＥＣｚを表示するようにしても良い。カムコーダ１は、外枠ＥＲを蓋開き警告アイコンＣＩと同一の色で表示することにより、縮小警告画面５６における蓋開き警告アイコンＣＩと抜去警告画像ＥＣｚとの関連性をユーザに認識させることができる。またカムコーダ１は、抜去警告画像ＥＣの内部に蓋開き警告アイコンＣＩを表示することによっても、縮小警告画面５６における蓋開き警告アイコンＣＩと抜去警告画像ＥＣｚとの関連性をユーザに一段と強く認識させることができる。
【０１２０】
また上述の実施の形態においては、中心部分に抜去警告画像ＥＣを重畳した抜去警告画面５５を表示するようにした場合について述べたが、本発明はこれに限らず、例えば図１２に示すように、抜去警告画面６２を表示するようにしても良い。この抜去警告画面６２では、撮像画像の右下部分に抜去警告画像ＥＣｙが重畳されており、記録している映像データにおける中心部分のほとんどをユーザに視認させることができ、ユーザの望む撮像データを撮像させ易くできる。また抜去警告画像ＥＣｙ内に例えばイエローカードや工事現場など、警告の際に使用されることが多い黄色地に黒字でなる警告マークＣＭを点滅表示させることにより、ユーザに抜去警告画像ＥＣｙを注視させて警告の効果をより一層高めることができる。
【０１２１】
またカムコーダ１は、図１３に示す抜去警告画面６３を表示するようにして良い。この抜去警告画面６３では、ほぼ全面に抜去警告画像ＥＣｘが表示され、当該抜去警告画像ＥＣｘの手前に撮像画像が縮小して表示されている。これによりカムコーダ１は、現在撮像中の映像データの全体を視認させながらユーザにデータ損失の危険性を認識させ得る。また、カムコーダ１は、例えばエクスクラメーションマークのように、注意を呼びかける意味を有するシンボルマークＣＳを抜去警告画像ＥＣｘ内に表示することにより、ユーザに対して直感的に注意を呼びかけることができる。さらにカムコーダ１は、抜去警告画像ＥＣｘと同時に蓋開き警告アイコンＣＩを表示するようにしても良い。
【０１２２】
さらに上述の実施の形態においては、状況情報表示領域ＤＳに蓋開き警告アイコンＣＩを有する縮小警告画面５６を表示するようにした場合について述べたが、本発明はこれに限らず、例えば図１４に示すように、「メモリカードの蓋が開いています」という警告文が記載された帯状でなる縮小警告画像ＣＣを有する縮小警告画面６４を表示するようにしても良い。これによりカード保護蓋７が開状態であることを一層強くユーザに通知し続けることができる。
【０１２３】
また図１５に示すように、状況情報表示領域ＤＳ以外の領域に蓋開きアイコンＣＩを表示しても良く、さらに蓋開きアイコンＣＩを点滅表示しても良い。これにより、周囲に他のアイコン類がない状態で蓋開きアイコンＣＩを表示するため、当該蓋開きアイコンＣＩの存在をユーザに強く認識させることができる。
【０１２４】
さらに上述の実施の形態においては、抜去警告画像ＥＣを表示してから５秒間経過すると蓋開きアイコンＣＩの表示に切り替えるようにした場合について述べたが、本発明はこれに限らず、例えば１分毎に抜去警告画像ＥＣと蓋開きアイコンＣＩとを定期的に切り替えて表示するようにしても良い。
【０１２５】
さらに上述の実施の形態においては、図５に示したように回転部７Ａの回転動作によってカード保護蓋７が開閉動作するようにした場合について述べたが、本発明はこれに限らず、例えばカード保護蓋７をスライドさせるスライド機能を有し、カード保護蓋７をスライドさせてから回転部を回転動作させるようにしても良く、ユーザによる簡易な操作によって開閉動作できれば、その構成に制限はない。
【０１２６】
さらに上述の実施の形態においては、抜去警告画像ＥＣを表示することによりユーザに対してメモリカード１００を抜き去らないように通知するようにした場合について述べたが、本発明はこれに限らず、例えば表示部３の近傍に設けられたＬＥＤ（Light Emitting Diode）を点灯させるようにしても良い。
【０１２７】
さらに上述の実施の形態においては、映像記録装置でなるカムコーダ１に本発明を適用するようにした場合について述べたが、本発明はこれに限らず、例えばデータストレージとしての携帯電話やメモリカードリードライタなど、メモリカード１００にデータを記録する各種メモリカード記録装置に適用するようにしても良い。この場合、例えばメモリカード記録装置を振動させることにより、ユーザに対してメモリカード１００を抜き去らないように通知するようにすることができる。
【０１２８】
さらに上述の実施の形態においては、動画像データでなる映像データ及び音声データを記録するカムコーダ１に本発明を適用するようにした場合について述べたが、本発明はこれに限らず、例えば音声データを記録する音声記録装置や、静止画像データを記録するデジタルスチルカメラに本発明を適用するようにしても良く、この場合であっても上述した実施の形態と同様の効果を得ることができる。
【０１２９】
さらに上述の実施の形態においては、抜去禁止通知処理プログラム等をＲＯＭに予め格納するようにした場合について述べたが、本発明はこれに限らず、メモリースティック（ソニー株式会社の登録商標）などの外部記憶媒体からＲＯＭなどにインストールするようにしても良い。また、抜去禁止通知処理プログラム等をＵＳＢ（Universal Serial Bus）やＥｔｈｅｒｎｅｔ(登録商標)、ＩＥＥＥ（Institute of Electrical and Electronics Engineers）８０２．１１ａ／ｂ／ｇなどの無線ＬＡＮ（Local Area Network）を介して外部から取得するようにしても良い。
【０１３０】
さらに上述の実施の形態においては、カード収納部としてのカード収納部３０と、記録処理部としての記録処理部２８と、カード保護蓋としてのカード保護蓋７と、開閉検出部としての開閉検出部３４と、通知部としての制御部１０及び画像情報処理部２３とによってメモリカード記録装置としてのカムコーダ１を構成するようにした場合について述べたが、本発明はこれに限らず、その他種々の構成でなるカード収納部と、記録処理部と、カード保護蓋と、開閉検出部と、通知部とによって本発明のメモリカード記録装置を構成するようにしても良い。
【産業上の利用可能性】
【０１３１】
本発明は、各種メモリカード記録装置に利用することができる。
【図面の簡単な説明】
【０１３２】
【図１】カムコーダの外観構成を示す略線図である。
【図２】カムコーダの回路構成を示す略線的ブロック図である。
【図３】待機中画面を示す略線図である。
【図４】録画中画面を示す略線図である。
【図５】カード保護蓋の開閉を示す略線図である。
【図６】抜去警告画像の表示の説明に供する略線図である。
【図７】抜去警告アイコンの表示の説明に供するである。
【図８】未挿入警告画像の表示の説明に供する略線図である。
【図９】記録開始時における抜去禁止通知処理手順の説明に供するフローチャートである。
【図１０】記録処理時における抜去禁止通知処理手順の説明に供するフローチャートである。
【図１１】他の実施の形態による抜去警告画像の表示（１）の説明に供する略線図である。
【図１２】他の実施の形態による抜去警告画像の表示（２）の説明に供する略線図である。
【図１３】他の実施の形態による抜去警告画像の表示（３）の説明に供する略線図である。
【図１４】他の実施の形態による縮小警告画像の表示（１）の説明に供する略線図である。
【図１５】他の実施の形態による縮小警告画像の表示（２）の説明に供する略線図である。
【符号の説明】
【０１３３】
１……カムコーダ、２……本体部、３……表示部、５……操作部、７……カード保護蓋、１０……制御部、２０……映像信号処理部、２３……画面情報処理部、２４……重畳部、２８……記録処理部、３０……カード収納部、３１……カード挿入口、３２……蓋保持爪、５５……抜去警告画面、５６……縮小警告画面、１００……メモリカード、ＤＳ……状況情報表示領域、ＥＣ……抜去警告画像、ＢＯ……ＯＫボタン、ＣＩ……蓋開きアイコン。
【図１】
2008226045.tif 000003
【図２】
2008226045.tif 000004
【図３】
2008226045.tif 000005
【図４】
2008226045.tif 000006
【図５】
2008226045.tif 000007
【図６】
2008226045.tif 000008
【図７】
2008226045.tif 000009
【図８】
2008226045.tif 000010
【図９】
2008226045.tif 000011
【図１０】
2008226045.tif 000012
【図１１】
2008226045.tif 000013
【図１２】
2008226045.tif 000014
【図１３】
2008226045.tif 000015
【図１４】
2008226045.tif 000016
【図１５】
2008226045.tif 000017